(57)【要約】【課題】  穿刺器具の穿刺針を安全かつ用意に交換することのできる穿刺針カートリッジを提供する。【解決手段】  複数の穿刺針が並列に、かつその各々が独立した状態で連結されるボトムケースと、ボトムケースに対しスライド可能なスライドカバーとを備え、スライドカバーは、スライドする際に複数の穿刺針を順次１本ずつ所定の角度だけ持ち上げる凸部を有するものとし、ボトムケースと穿刺針とは樹脂により一体的に成形され、その連結部が可撓性を有するものとする。【選択図】  図１
2005177016.tif 000002
【特許請求の範囲】
【請求項１】
複数の穿刺針が並列に、かつその各々が独立した状態で連結されるボトムケースと、
前記ボトムケースに対しスライド可能なスライドカバーとを備え、
前記スライドカバーは、スライドする際に前記複数の穿刺針を順次１本ずつ所定の角度だけ持ち上げる凸部を有する、
ことを特徴とする穿刺針カートリッジ。
【請求項２】
請求項１に記載の穿刺針カートリッジにおいて、
前記ボトムケース内に、使用済みの穿刺針及び／またはバイオセンサを保管する、
ことを特徴とする穿刺針カートリッジ。
【請求項３】
請求項１に記載の穿刺針カートリッジにおいて、
前記ボトムケースと前記穿刺針とは樹脂により一体的に成形され、その連結部は可撓性を有する、
ことを特徴とする穿刺針カートリッジ。
【発明の詳細な説明】
【技術分野】
【０００１】
本発明は、穿刺針カートリッジに関し、特に、血糖値等の測定の際の採血等に用いる穿刺器具の交換用の穿刺針を保持するものに関するものである。
【背景技術】
【０００２】
糖尿病の患者さんは、自分自身で血糖値を一日に数回測定している。この測定の際には、穿刺器具を用いて指先や腕などを穿刺し、その穿刺した部位から採取した少量の血液をバイオセンサに反応させる。
【０００３】
図７は、従来の穿刺器具を示す斜視図である。
図７に示されるように、従来の穿刺器具１０１は、着脱可能な使い捨ての穿刺針１０５、穿刺針１０５を打ち出すための第１のバネ１３２、打ち出された穿刺針１０５を後退させるための第２のバネ１３４、及び圧縮された第１のバネを解放するための穿刺ボタン１１７を有する筒状の本体部１３０と、開口部１０９、及び穿刺部押圧面１３６を有し、穿刺針１０５を覆うキャップ部１５３とから構成されている。
【０００４】
以下に、従来の穿刺器具の動作について説明する。
まず、操作者は、本体部１３０からキャップ部１５３を外し、本体部１３０に穿刺針１０５を取り付け、再度キャップ部１５３を本体にかぶせる。そして、第１のバネ１３２を圧縮して穿刺が可能な状態にし、キャップ部１５３の穿刺部押圧面１３６を指先などの穿刺部に当て、穿刺ボタン１１７を押す。これにより穿刺針１０５が打ち出され、穿刺針１０５は開口部１０９から突出して穿刺部を穿刺する。その後、第２のバネ１３４により穿刺針１０５は即座に穿刺部から後退する。
【０００５】
なお、一度使用した穿刺針１０５を再使用することは衛生面から非常に危険であるため、次の使用時には穿刺針１０５を交換する必要がある。この交換の際には、穿刺針１０５を一本ずつを取り出して、穿刺器具１０１に取り付けて、針先端のキャップを取り外して針を露出させて、穿刺準備を行なっていた。また、廃棄時もこの逆に行なっていた。（例えば特許文献１参照。）
【０００６】
また、数本の穿刺針を格納し、これらを個別に順番に使用して穿刺動作を行なうものもある。穿刺後は、穿刺針を装置から個別に取り除くことができる。穿刺針を前後に移動するための駆動手段として、穿刺針に設けられた板ばねの弾力を利用したものがある（例えば特許文献２参照。）。
【特許文献１】特開２０００−２３７１７２号公報（第３−４頁、第１図）
【特許文献２】米国特許第４，７９４，９２６号公報（第３−４頁、第１図）
【発明の開示】
【発明が解決しようとする課題】
【０００７】
しかし、従来の穿刺器具は穿刺針の交換作業が複雑であるため、１日に数回測定しなければならない使用者は穿刺針の交換を煩わしいと考え、一度取り付けた穿刺針を、穿刺動作および血液採取のために複数回使用してしまいがちになるという問題があった。１本の穿刺針を複数回使用することは、特に１つの穿刺器具を２人以上の人に使用する場合、衛生面の理由から問題となる。また、穿刺針は１回使い捨て用として製造されており、複数回使用すれば先端がすぐに鈍くなってしまうため、穿刺針の連続使用は使用者の痛みを増大させる原因ともなる。
【０００８】
また、従来の穿刺器具は、穿刺針の交換時に、使用者が穿刺針を直接指で持っていたので、誤って使用済みの穿刺針で指先を怪我してしまうことがあるという問題があった。このことは、特に、糖尿病の合併症等で目が不自由な患者さんにとっては大きな問題となっていた。
【０００９】
本発明は、上述のような従来の問題点を解決するためになされたものであり、穿刺器具の穿刺針を安全かつ用意に交換することのできる穿刺針カートリッジを提供することを目的とする。
【課題を解決するための手段】
【００１０】
本発明の請求項１に係る穿刺針カートリッジは、複数の穿刺針が並列に、かつその各々が独立した状態で連結されるボトムケースと、前記ボトムケースに対しスライド可能なスライドカバーとを備え、前記スライドカバーが、スライドする際に前記複数の穿刺針を順次１本ずつ所定の角度だけ持ち上げる凸部を有するものである。
【００１１】
本発明の請求項２に係る穿刺針カートリッジは、請求項１に記載の穿刺針カートリッジにおいて、前記ボトムケース内に、使用済みの穿刺針及び／またはバイオセンサを保管するようにしたものである。
【００１２】
本発明の請求項３に係る穿刺針カートリッジは、請求項１に記載の穿刺針カートリッジにおいて、前記ボトムケースと前記穿刺針とが樹脂により一体的に成形され、その連結部が可撓性を有するものとしたものである。
【発明の効果】
【００１３】
本発明の請求項１に係る穿刺針カートリッジは、複数の穿刺針が並列に、かつその各々が独立した状態で連結されるボトムケースと、前記ボトムケースに対しスライド可能なスライドカバーとを備え、前記スライドカバーが、スライドする際に前記複数の穿刺針を順次１本ずつ所定の角度だけ持ち上げる凸部を有するので、穿刺針を安全かつ用意に交換することができるという効果を有する。
【００１４】
本発明の請求項２に係る穿刺針カートリッジは、請求項１に記載の穿刺針カートリッジにおいて、前記ボトムケース内に、使用済みの穿刺針及び／またはバイオセンサを保管するようにしたので、廃棄物である使用済みの穿刺針やバイオセンサとカートリッジとを一体に収納保管することで、廃棄物容量をコンパクトにすることができるという効果を有する。
【００１５】
本発明の請求項３に係る穿刺針カートリッジは、請求項１に記載の穿刺針カートリッジにおいて、前記ボトムケースと前記穿刺針とが樹脂により一体的に成形され、その連結部が可撓性を有するものとしたので、その構成を簡単なものとすることができるという効果を有する。
【発明を実施するための最良の形態】
【００１６】
（実施の形態１）
図１は、本発明の実施の形態１における穿刺針カートリッジの外観斜視図であり、図２は、本発明の実施の形態１における穿刺針カートリッジのスライドカバーを外した状態を示す外観斜視図であり、図３（ａ）は、本発明の実施の形態１における穿刺針カートリッジのスライドカバーの外観斜視図であり、図６は、本発明の実施の形態１における穿刺針カートリッジのスライドカバーを閉じた状態を示す外観斜視図である。
【００１７】
図１、図２、図３（ａ）及び図６に示されるように、本実施の形態１における穿刺針カートリッジ１８は、ボトムケース３と、このボトムケース３に着脱可能なスライドカバー２とから構成されている。穿刺針カートリッジ１８には、穿刺針５を一列に樹脂一体成型で構成した穿刺針５のフレーム部１９が設けられており、個々の穿刺針５は、穿刺針分離溝５ａの樹脂の薄膜（例えば、厚み０．１ｍｍ以下）を介して、穿刺針５の針の部分がフレーム１９に埋没した状態でつながっている。また、スライドカバー２には、穿刺針５を一本ずつ持ち上げるための凸部６が設けられている。また、ボトムケース３には、穿刺針５を穿刺器具から取り外して廃棄する際に用いる穿刺器具ガイド部２１及び内側円筒部２３と、使用済みのバイオセンサを廃棄するためのバイオセンサ挿入口２５とが設けられている。
【００１８】
以下に、動作について説明する。
まず、穿刺針の穿刺器具への取付方法について説明する。
【００１９】
図３（ｂ）〜図３（ｅ）は、本発明の実施の形態１における穿刺針カートリッジの動作を説明するための図であり、図４（ａ）〜図４（ｃ）は、本発明の実施の形態１における穿刺針カートリッジが保持する穿刺針を穿刺器具に取り付ける方法を説明するための図である。
【００２０】
ここで、穿刺器具１は、図４（ａ）に示されるように、穿刺針５を装填し保持する略円筒状の穿刺針装填室１０及び穿刺針保持ツメ２６が設けられた穿刺針保持ロッド４と、回転可能に軸支されるフライホイール１１と、フライホイール１１が回転するよう付勢するフライホイール用バネ１３と、フライホイール１１の回転運動を穿刺針保持ロッド４の直線運動に変換するために両者を連接するリンク１９と、穿刺準備を行なうための穿刺針セットレバー８と、穿刺動作のトリガとなる穿刺ボタン１７と、穿刺針５が穿刺する深さを調節する穿刺深さ調節リング４０とから構成されているものとする。
【００２１】
スライドカバー２は、図３（ｂ）〜図３（ｄ）に示されるようにスライド可能であり、穿刺針の取り付けの際には、取り付ける穿刺針５が持ち上がる位置で止める（図３（ｃ））。このとき凸部６に持ち上げられた穿刺針５は、所定の角度だけその後端部が持ち上がった状態となる（図３（ｅ））。
【００２２】
そして、穿刺針装填室１０の中心軸と、穿刺針カートリッジ１８上の穿刺針５の軸とを合致させながら、穿刺針５に穿刺器具１を押し込む（図４（ａ））。そのまま、穿刺針保持ロッド４内に案内された穿刺針５の後端部が穿刺針装填室１０の底面に接するまで圧入し、穿刺針５を穿刺針装填室に嵌合させる。このとき、穿刺針のクビレ部５ｂと穿刺針保持ツメ２６とが係合する（図４（ｂ））。ここで、穿刺針カートリッジ１８から穿刺器具１を引き離そうとすると、穿刺針分離溝５ａで樹脂の薄膜を引き千切る力が発生し、この力に抗して操作者がさらに力を加えることで、穿刺針カートリッジ１８から穿刺針５が離れ、穿刺器具１に穿刺針５が取り付けられる（図４（ｃ））。
【００２３】
この後、穿刺を行なうために穿刺針セットレバー８を所定の角度だけ倒すことにより穿刺準備が完了し、穿刺ボタン１７を押すことで穿刺針保持ロッド４が穿刺器具１内から外側へ向かって直動して穿刺動作が行なわれる。
【００２４】
次に、穿刺針５の廃棄方法について説明する。
図５（ａ）及び図５（ｂ）は、本発明の実施の形態１における穿刺針の廃棄方法を説明するための図である。
【００２５】
穿刺動作を終えた後、穿刺器具１の穿刺深さ調節リング４０側を、穿刺針カートリッジ１８の穿刺器具ガイド部２１に差し込む。このとき、内側円筒部２３の先端が穿刺針保持ツメ２６を外側へ押し広げると同時に、内側円筒部２３の先端部にある穿刺針抜き取りツメ２２が穿刺針のクビレ部５ｂに係合する（図５（ａ））。その後、穿刺器具１を引き抜き、穿刺針５を穿刺針カートリッジ１８内に押し込むことで、使用済みの穿刺針５の廃棄動作が完了する（図５（ｂ））。
【００２６】
このように本実施の形態１による穿刺針カートリッジは、穿刺器具に取り付ける穿刺針のみが持ち上がるので、隣接した穿刺針が邪魔にならず、安全かつ容易に穿刺針を交換することができる。また、使用済みの穿刺針やバイオセンサをボトムケース内に回収するようにしたので、廃棄物となった穿刺針やバイオセンサとカートリッジとを一体に収納保管するようになり、廃棄物容量をコンパクトにすることができる。また、穿刺針のクビレ部と穿刺針保持ツメとが係合するようにしたので、穿刺針の脱落を防止することができる。
【産業上の利用可能性】
【００２７】
本発明は、血糖値等の測定の際の採血等に用いる穿刺器具の交換用の穿刺針を保持する穿刺針カートリッジとして有用である。
【図面の簡単な説明】
【００２８】
【図１】本発明の実施の形態１における穿刺針カートリッジの外観斜視図である。
【図２】本発明の実施の形態１における穿刺針カートリッジのスライドカバーを外した状態を示す外観斜視図である。
【図３（ａ）】本発明の実施の形態１における穿刺針カートリッジのスライドカバーの外観斜視図である。
【図３（ｂ）】本発明の実施の形態１における穿刺針カートリッジの動作を説明するための図である。
【図３（ｃ）】本発明の実施の形態１における穿刺針カートリッジの動作を説明するための図である。
【図３（ｄ）】本発明の実施の形態１における穿刺針カートリッジの動作を説明するための図である。
【図３（ｅ）】本発明の実施の形態１における穿刺針カートリッジの動作を説明するための図である。
【図４（ａ）】本発明の実施の形態１における穿刺針カートリッジが保持する穿刺針を穿刺器具に取り付ける方法を説明するための図である。
【図４（ｂ）】本発明の実施の形態１における穿刺針カートリッジが保持する穿刺針を穿刺器具に取り付ける方法を説明するための図である。
【図４（ｃ）】本発明の実施の形態１における穿刺針カートリッジが保持する穿刺針を穿刺器具に取り付ける方法を説明するための図である。
【図５（ａ）】本発明の実施の形態１における穿刺針の廃棄方法を説明するための図である。
【図５（ｂ）】本発明の実施の形態１における穿刺針の廃棄方法を説明するための図である。
【図６】本発明の実施の形態１における穿刺針カートリッジのスライドカバーを閉じた状態を示す外観斜視図である。
【図７】従来の穿刺器具を示す斜視図である。
【符号の説明】
【００２９】
１  穿刺器具
２  スライドカバー
３  ボトムケース
４  穿刺針保持ロッド
５  穿刺針
５ａ  穿刺針分離溝
５ｂ  穿刺針のクビレ部
６  凸部
８  穿刺針セットレバー
９  開口部
１０  穿刺針装填室
１７  穿刺ボタン
１８  穿刺針カートリッジ
１９  フレーム部
２１  穿刺器具ガイド部
２２  穿刺針抜き取りツメ
２３  内側円筒部
２５  バイオセンサ挿入口
２６  穿刺針保持ツメ
１０１  穿刺器具
１０５  穿刺針
１０９  開口部
１１７  穿刺ボタン
１３０  本体部分
１３２  第１のバネ
１３４  第２のバネ
１３６  穿刺部押圧面
１５３  キャップ
【図１】
2005177016.tif 000003
【図２】
2005177016.tif 000004
【図３（ａ）】
2005177016.tif 000005
【図３（ｂ）】
2005177016.tif 000006
【図３（ｃ）】
2005177016.tif 000007
【図３（ｄ）】
2005177016.tif 000008
【図３（ｅ）】
2005177016.tif 000009
【図４（ａ）】
2005177016.tif 000010
【図４（ｂ）】
2005177016.tif 000011
【図４（ｃ）】
2005177016.tif 000012
【図５（ａ）】
2005177016.tif 000013
【図５（ｂ）】
2005177016.tif 000014
【図６】
2005177016.tif 000015
【図７】
2005177016.tif 000016